(57)【要約】【課題】生体に照射することで、この生体の欠点を際立たせることができる照明装置を提供する。【解決手段】生体に照射するための照明装置であって、４９０ｎｍ以上５００ｎｍ以下にピーク波長を持つ光を出射する光源である第１光源２１１と、５２０ｎｍ以上５４０ｎｍ以下、又は、５７０ｎｍ以上５８０ｎｍ以下にピーク波長を持つ光を出射する光源である第２光源との少なくとも一方を有する光源部２１０を備える。【選択図】図６
2015026550.tif 000002
【特許請求の範囲】
【請求項１】
生体に照射するための照明装置であって、
４９０ｎｍ以上５００ｎｍ以下にピーク波長を持つ光を出射する光源である第１光源と、５２０ｎｍ以上５４０ｎｍ以下、又は、５７０ｎｍ以上５８０ｎｍ以下にピーク波長を持つ光を出射する光源である第２光源との少なくとも一方を有する光源部を備える
照明装置。
【請求項２】
前記光源部は、さらに、昼光色、昼白色、白色、温白色及び電球色の少なくとも１つの色を持つ光を出射する光源である第３光源を有する
請求項１に記載の照明装置。
【請求項３】
さらに、前記光源部が有する各光源の出射光量を独立に制御する制御部を備える
請求項１又は２に記載の照明装置。
【請求項４】
前記照明装置は、前記生体として人体の顔面に照射し、
前記光源部は、
前記第１光源及び前記第２光源のいずれも有し、
前記顔面の中心部を含む照射範囲を照射するように配置された第１照射部と、
前記顔面の側面部を含む照射範囲を照射するように配置された第２照射部とを含み、
前記第１光源は前記第１照射部に配置され、前記第２光源は前記第２照射部に配置されている
請求項１〜３のいずれか１項に記載の照明装置。
【請求項５】
前記光源部は、前記第２光源を複数有し、
複数の前記第２光源の少なくとも１つは、前記第１照射部に配置されている
請求項４に記載の照明装置。
【請求項６】
前記光源部は、前記第１光源及び前記第２光源のそれぞれを複数有し、
複数の前記第１光源の少なくとも１つは、前記第２照射部に配置されている
請求項４又は５に記載の照明装置。
【請求項７】
前記第２照射部に配置された前記第２光源の数は、前記第２照射部に配置された前記第１光源の数より多い
請求項６に記載の照明装置。
【請求項８】
前記光源部は、前方から入射した光を反射する化粧鏡に取り付けられ、かつ、当該化粧鏡の前方に光を出射する
請求項１〜７のいずれか１項に記載の照明装置。
【請求項９】
前記照明装置は、前記光源部を複数備え、
複数の前記光源部の少なくとも１つと、前記化粧鏡と、複数の前記光源部の他の少なくとも１つとは、この順に並んで配置されている
請求項８に記載の照明装置。
【発明の詳細な説明】
【技術分野】
【０００１】
本発明は照明装置に関する。
【背景技術】
【０００２】
人の肌状態の見え方を悪化させる要因となる、“毛穴・小じわ”、“ニキビ・吹出物”、“しみ・そばかす”、“くすみ”、“クマ”などの肌の欠点は、人の印象も左右しうるほど見え方に大きな影響を与える。
【０００３】
そこで、化粧品メーカーを中心として、これら欠点を目立ちにくくする化粧品の材料組成が提案されている（例えば、特許文献１及び２参照）。また、これら欠点の定量評価を目的とした評価方法も提案されている（例えば、特許文献３参照）。
【０００４】
このような肌の見え方を向上させる技術は、化粧品分野だけでなく、色の見えに影響を与える照明分野においても提案されている（例えば、特許文献４及び５参照）。ここで、使用者が照明装置を用いて使用者自身の肌の見え方を確認する場合、化粧鏡を用いる構成が考えられる。そこで、化粧鏡における使用者自身の見え方や使い勝手を改善した技術も多数提案されている（例えば、特許文献６及び７参照）。
【先行技術文献】
【特許文献】
【０００５】
【特許文献１】特開２００７−７７０９８号公報
【特許文献２】特開平８−８１３３２号公報
【特許文献３】特開２００３−１４４３９３号公報
【特許文献４】特開平１１−２５８０４７号公報
【特許文献５】特開２０１２−１５５９０６号公報
【特許文献６】特開２０１０−２６７５４７号公報
【特許文献７】特開平７−２２０５２２号公報
【発明の概要】
【発明が解決しようとする課題】
【０００６】
しかしながら、これらの構成はいずれも肌の欠点を目立ちにくくする構成であり、見落としがちな肌の欠点を際立たせることはできない。
【０００７】
上記課題に鑑み、本発明は、生体に照射することで、この生体の欠点を際立たせることができる照明装置を提供することを目的とする。
【課題を解決するための手段】
【０００８】
上記目的を達成するために、本発明の一形態における照明装置は、生体に照射するための照明装置であって、４９０ｎｍ以上５００ｎｍ以下にピーク波長を持つ光を出射する光源である第１光源と、５２０ｎｍ以上５４０ｎｍ以下、又は、５７０ｎｍ以上５８０ｎｍ以下にピーク波長を持つ光を出射する光源である第２光源との少なくとも一方を有する光源部を備える。
【０００９】
また、前記光源部は、さらに、昼光色、昼白色、白色、温白色及び電球色の少なくとも１つの色を持つ光を出射する光源である第３光源を有してもよい。
【００１０】
また、さらに、前記光源部が有する各光源の出射光量を独立に制御する制御部を備えてもよい。
【００１１】
また、前記照明装置は、前記生体として人体の顔面に照射し、前記光源部は、前記第１光源及び前記第２光源のいずれも有し、前記顔面の中心部を含む照射範囲を照射するように配置された第１照射部と、前記顔面の側面部を含む照射範囲を照射するように配置された第２照射部とを含み、前記第１光源は前記第１照射部に配置され、前記第２光源は前記第２照射部に配置されていてもよい。
【００１２】
また、前記光源部は、前記第２光源を複数有し、複数の前記第２光源の少なくとも１つは、前記第１照射部に配置されていてもよい。
【００１３】
また、前記光源部は、前記第１光源及び前記第２光源のそれぞれを複数有し、複数の前記第１光源の少なくとも１つは、前記第２照射部に配置されていてもよい。
【００１４】
また、前記第２照射部に配置された前記第２光源の数は、前記第２照射部に配置された前記第１光源の数より多くてもよい。
【００１５】
また、前記光源部は、前方から入射した光を反射する化粧鏡に取り付けられ、かつ、当該化粧鏡の前方に光を出射してもよい。
【００１６】
また、前記照明装置は、前記光源部を複数備え、複数の前記光源部の少なくとも１つと、前記化粧鏡と、複数の前記光源部の他の少なくとも１つとは、この順に並んで配置されていてもよい。
【発明の効果】
【００１７】
本発明によれば、生体に照射することで、この生体の欠点を際立たせることができる。
【図面の簡単な説明】
【００１８】
【図１】図１は、評価実験に用いた試験光のスペクトルを示すグラフである。
【図２】図２は、評価実験の様子を説明するための図である。
【図３】図３は、実施の形態１に係る照明装置に用いられる光源の構成の一例を示すブロック図である。
【図４】図４は、実施の形態１に係る照明装置に用いられる光源の構成の他の一例を示すブロック図である。
【図５】図５は、実施の形態１に係る照明装置に用いられる光源の構成のさらに他の一例を示すブロック図である。
【図６】図６は、実施の形態１に係る照明装置の構成を示す図である。
【図７】図７は、実施の形態１の変形例に係る照明装置の構成を示す図である。
【図８】図８は、実施の形態２に係る照明装置の構成を示す図である。
【図９】図９は、実施の形態３に係る照明装置について説明するための図である。
【図１０Ａ】図１０Ａは、実施の形態３の変形例１に係る照明装置における光源部の構成を示す図である。
【図１０Ｂ】図１０Ｂは、実施の形態３の変形例２に係る照明装置における光源部の構成を示す図である。
【発明を実施するための形態】
【００１９】
以下、本発明の実施の形態に係る照明装置について、図面を参照しながら説明する。なお、各図は、模式図であり、必ずしも厳密に図示したものではない。
【００２０】
また、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、独立請求項に記載されていない構成要素については、任意の構成要素として説明される。
【００２１】
（実施の形態１）
［評価実験］
はじめに、本実施の形態に係る照明装置を実現するために行った評価実験について説明する。この評価実験は、肌の見え方、特に肌の欠点の見え方に影響を与える波長を特定することを目的として行った。図１は評価実験に用いた試験光のスペクトルを示すグラフであり、図２は評価実験の様子を説明するための図である。
【００２２】
本評価実験では、図１に示すように、試験光として、半値幅が一定かつピーク波長が４６０ｎｍ以上６５０ｎｍ以下の波長範囲で１０ｎｍピッチずつ異なる２０種類の光を用いた。
【００２３】
本評価実験では、操作者Ｈ１が光源装置操作ＰＣ（ｐｅｒｓｏｎａｌ  ｃｏｍｐｕｔｅｒ）Ａ１を操作することにより、光源Ｌから出射される試験光のスペクトルを設定できる光源装置Ａ２を用いて次のように評価した。具体的には、光源Ｌから出射された試験光が照射されたモデルＭの顔面の肌の見え方について、基準光が照射された当該モデルＭの顔面の肌の見え方と比較して、２名の被験者Ｈ２によって評価した。ここで、操作者Ｈ１は暗室Ｂ外に位置し、モデルＭ及び被験者Ｈ２は、幅３０００ｍｍ、奥行き２０００ｍｍの暗室Ｂ内に位置して評価した。
【００２４】
モデルＭは、被験者Ｈ２が肌の見え方を評価するための評価視対象人物であり、本評価実験では肌の性状の異なる３名とした。
【００２５】
被験者Ｈ２は、基準光が照射されたモデルＭの顔面の肌の見え方を基準として、試験光が照射されたモデルＭの顔面の肌の見え方を主観的に７段階で評価した。ここで、基準光としては等エネルギー白色光を用いた。
【００２６】
評価項目としては、（１）“毛穴・小じわ”、（２）“ニキビ・吹出物”、（３）“しみ・そばかす”、（４）“くすみ”、“クマ”とした。
【００２７】
モデルＭの顔面位置での鉛直面照度は１４０ｌｘとした。
【００２８】
このようにして行った評価実験の結果、（１）“毛穴・小じわ”、（２）“ニキビ・吹出物”については、５２０ｎｍ以上５４０ｎｍ以下、及び、５２０ｎｍ以上５４０ｎｍ以下において欠点が目立つという評価結果が得られた。一方、（３）“しみ・そばかす”、（４）“くすみ”、“クマ”については、４９０ｎｍ以上５００ｎｍ以下において、欠点が目立つという評価結果が得られた。
【００２９】
したがって、これらの波長付近をピーク波長にもつ光によって肌を照明すれば、肌の欠点を際立たせることができるという知見が得られた。本実施の形態は、このような知見に基づいてなされたものである。
【００３０】
［光源］
以下、本実施の形態に係る照明装置について説明する。図３は、本実施の形態に係る照明装置に用いられる光源の構成の一例を示すブロック図である。
【００３１】
同図に示す光源１００は、ＬＥＤ（Ｌｉｇｈｔ  Ｅｍｉｔｔｉｎｇ  Ｄｉｏｄｅ）素子１０１及び点灯回路１０２を有し、鏡ＭＲを４９０ｎｍ以上５００ｎｍ以下にピーク波長を持つ光を出射する。
【００３２】
ＬＥＤ素子１０１は、点灯回路１０２から所定の直流電力が供給されることにより、４９０ｎｍ以上５００ｎｍ以下にピーク波長を持つ光を出射する、例えばＩｎＧａＮ系青色ＬＥＤ素子（例えば、ＯＳＲＡＭ社製ＬＸＭＬ−ＰＥ０１等）である。このＬＥＤ素子１０１の構造としては、ＬＥＤチップが基板に直接実装された構造であるＣＯＢ（Ｃｈｉｐ  Ｏｎ  Ｂｏａｒｄ）構造、及び、ＬＥＤチップが内部に実装されたパッケージが基板に実装された構造であるＳＭＤ（Ｓｕｒｆａｃｅ  Ｍｏｕｎｔ  Ｄｅｖｉｃｅ）構造のいずれであってもよい。
【００３３】
点灯回路１０２は、ＬＥＤ素子１０１に所定の直流電力を供給することにより、ＬＥＤ素子１０１を点灯させる、すなわち光を出射させる。この点灯回路１０２は、例えば、商用電源（ＡＣ１００Ｖ）を所定の直流電力に変換するコンバータ回路等により構成される。
【００３４】
このような構成により、光源１００は４９０ｎｍ以上５００ｎｍ以下にピーク波長を持つ光を出射する。したがって、この光源１００を用いることにより、本実施の形態に係る照明装置は、“しみ・そばかす”、“くすみ”、“クマ”といった肌の欠点を際立たせることができる。
【００３５】
なお、４９０ｎｍ以上５００ｎｍ以下にピーク波長を持つ光を出射できる光源の構成は上記構成に限らない。図４は、本実施の形態に係る照明装置に用いられる光源の構成の他の一例を示すブロック図である。
【００３６】
同図に示す光源１１０は、図３に示した光源１００と比較して、ＬＥＤ素子１１１と蛍光体１１３とを組み合わせることにより４９０ｎｍ以上５００ｎｍ以下にピーク波長を持つ光を出射する点が異なる。
【００３７】
ＬＥＤ素子１１１は、点灯回路１１２から所定の直流電力が供給されることにより、所定の波長ピーク（例えば、３８０ｎｍ以上５００ｎｍ）を持つ光を出射する、例えば青色ＬＥＤ素子である。この青色ＬＥＤ素子は、例えば窒化ガリウム系の半導体材料によって構成される。
【００３８】
点灯回路１１２は、ＬＥＤ素子１１１に所定の直流電力を供給することにより、ＬＥＤ素子１０１を点灯させる、すなわち光を出射させる。
【００３９】
蛍光体１１３は、ＬＥＤ素子１１１を封止する蛍光体含有樹脂であり、ＬＥＤ素子１１１が出射する光によって励起されることにより、４９０ｎｍ以上５００ｎｍ以下にピーク波長を持つ光を放出（出射）する。この蛍光体１１３としては、例えば緑色蛍光体を含有する樹脂が用いられる。
【００４０】
このような構成により、ＬＥＤ素子１１１から出射された青色光は、蛍光体１１３により波長が変換されて、４９０ｎｍ以上５００ｎｍ以下にピーク波長を持つ光となる。つまり、光源１１０は、光源１００と同様に、４９０ｎｍ以上５００ｎｍ以下にピーク波長を持つ光を出射する。したがって、光源１１０を用いた照明装置は、光源１００を用いた照明装置と同様の効果を奏する。
【００４１】
さらに、ＬＥＤ素子１１１として発光効率の高い青色ＬＥＤ素子を用いることができるので、光源１１０の消費電力を抑制できる。
【００４２】
なお、光源は、照明装置の小型化を実現するために、上記の光源１００及び１１０のように１つのＬＥＤ素子を有する構成が好ましいが、複数のＬＥＤ素子を有する構成であってもよい。図５は、本実施の形態に係る照明装置に用いられる光源の構成のさらに他の一例を示すブロック図である。
【００４３】
同図に示す光源１２０は、図３に示した光源１００と比較して、複数のＬＥＤ素子１２１Ａ、１２１Ｂを組み合わせることにより、４９０ｎｍ以上５００ｎｍ以下にピーク波長を持つ光を出射する点が異なる。
【００４４】
ＬＥＤ素子１２１Ａは、点灯回路１２２から所定の直流電力が供給されることにより、所定の波長ピーク（例えば、３８０ｎｍ以上５００ｎｍ）を持つ光を出射する、例えば青色ＬＥＤ素子である。この青色ＬＥＤ素子は、例えば窒化ガリウム系の半導体材料によって構成される。
【００４５】
一方、ＬＥＤ素子１２１Ｂは、点灯回路１２２から所定の直流電力が供給されることにより、ＬＥＤ素子１２１Ａから出射される光の波長ピークとは異なる所定の波長ピークを持つ光を出射する、例えば緑色ＬＥＤ素子である。この緑色ＬＥＤ素子は、例えば窒化ガリウム系の半導体材料によって構成される。
【００４６】
点灯回路１２２は、ＬＥＤ素子１２１Ａ、１２１Ｂのそれぞれに対応する所定の直流電力を供給することにより、ＬＥＤ素子１２１Ａ、１２１Ｂを点灯させる、すなわち光を出射させる。
【００４７】
このような構成により、ＬＥＤ素子１２１Ａから出射された青色光と、ＬＥＤ素子１２１Ｂから出射された緑色光とが合わさって、４９０ｎｍ以上５００ｎｍ以下にピーク波長を持つ光となる。つまり、光源１２０は、光源１００と同様に、４９０ｎｍ以上５００ｎｍ以下にピーク波長を持つ光を出射する。したがって、光源１２０を用いた照明装置は、光源１００を用いた照明装置と同様の効果を奏する。
【００４８】
なお、本実施の形態において、光源の構成は上記の各構成に限らず、４９０ｎｍ以上５００ｎｍ以下にピーク波長を持つ光を出射できる構成であればよい。例えば、白色光を出射するＬＥＤ素子と、このＬＥＤ素子から出射された光の一部の波長をカットするフィルタとを備えることにより、光源から４９０ｎｍ以上５００ｎｍ以下にピーク波長を持つ光が出射される構成であってもよい。
【００４９】
また、上記説明では、光源は、発光素子としてＬＥＤ素子を有する構成であるとして説明したが、発光素子はＬＥＤ素子に限らない。例えば、発光素子として有機ＥＬ（Ｅｌｅｃｔｒｏ  Ｌｕｍｉｎｅｓｃｅｎｃｅ）素子を用いてもよいし、白色光を発光するキセノンランプ等のランプを有してもよい。また、このようにＬＥＤ素子以外の発光素子を有する構成においても、発光素子から出射される光の一部の波長をカットするフィルタと発光素子とを組み合わせることにより、光源から４９０ｎｍ以上５００ｎｍ以下にピーク波長を持つ光が出射される構成としてもよい。
【００５０】
また、上記説明では、蛍光体１１３として緑色蛍光体を含有する樹脂であるとして説明したが、蛍光体１１３は、ＬＥＤ素子１１１が出射する光によって励起されることにより４９０ｎｍ以上５００ｎｍ以下にピーク波長を持つ光を放出（出射）できる構成であればよく、組成が異なる２種類以上の蛍光体を含有する構成以外でもよい。例えば、蛍光体１１３として、緑色蛍光体を含有せず、青色蛍光体及び赤色蛍光体を含有する樹脂を用いてもよい。
【００５１】
また、光源から出射される光のスペクトル形状に規定はなく、光色にも規定はない。つまり、光源から出射される光の波長強度が、４９０ｎｍ以上５００ｎｍ以下の範囲において他の波長範囲より相対的に十分に高ければよい。ここで、相対的に十分に高いとは、例えば、２倍以上であり、特定的には５倍以上であり、より特定的には１０倍以上である。
【００５２】
また、上記説明では、光源は４９０ｎｍ以上５００ｎｍ以下にピーク波長を持つ光を出射する、として説明したが、光源は５２０ｎｍ以上５４０ｎｍ以下、又は、５７０ｎｍ以上５８０ｎｍ以下にピーク波長を持つ光を出射してもよい。
【００５３】
５２０ｎｍ以上５４０ｎｍ以下、又は、５７０ｎｍ以上５８０ｎｍ以下にピーク波長を持つ光を出射する光源に用いられるＬＥＤ素子は、例えば、５２０ｎｍ以上５４０ｎｍ以下にピーク波長を有するＩｎＧａＮ系緑色ＬＥＤ素子（例えば、OSRAM社製LXML-PM01）や、５７０ｎｍ以上５８０ｎｍ以下にピーク波長を有するＡｌＩｎＧａＰ系アンバー色ＬＥＤ素子（例えば、OSRAM社製LXML-PL01）である。
【００５４】
このような５２０ｎｍ以上５４０ｎｍ以下、又は、５７０ｎｍ以上５８０ｎｍ以下にピーク波長を持つ光を出射する光源を用いることにより、本実施の形態に係る照明装置は、“毛穴・小じわ”、“ニキビ・吹出物”といった肌の欠点を際立たせることができる。
【００５５】
以上のように、本実施の形態に係る照明装置に用いられる光源は、例えばＬＥＤ素子と点灯回路とを備え、４９０ｎｍ以上５００ｎｍ以下にピーク波長を持つ光を出射することにより、“しみ・そばかす”、“くすみ”、“クマ”を際立たせることができる。また、５２０ｎｍ以上５４０ｎｍ以下、又は、５７０ｎｍ以上５８０ｎｍ以下にピーク波長を持つ光を出射することにより、“毛穴・小じわ”、“ニキビ・吹出物”を際立たせることができる。つまり、本実施の形態に係る照明装置に用いられる光源は、肌の欠点を際立たせることができる。
【００５６】
［照明装置］
次に、上述の光源１００を用いた照明装置について説明する。なお、以下、本実施の形態では、上述の４９０ｎｍ以上５００ｎｍ以下にピーク波長を持つ光を出射する光源を第１光源として説明し、上述の、５２０ｎｍ以上５４０ｎｍ以下、又は、５７０ｎｍ以上５８０ｎｍ以下にピーク波長を持つ光を出射する光源を第２光源として説明する。
【００５７】
図６は、本実施の形態に係る照明装置の構成を示す図である。なお、同図には、照明装置２００以外に、照明装置２００により光が照射される使用者Ｕ１、及び、照明装置２００が取り付けられ、かつ、照明装置２００により光が照射された使用者Ｕ１を映す鏡ＭＲ（化粧鏡）も示されている。ここで、鏡ＭＲには、使用者Ｕ１の顔面が鏡像Ｕ２として映し出されている。
【００５８】
照明装置２００は、使用者Ｕ１の顔面（生体）に照射するための照明装置であって、４９０ｎｍ以上５００ｎｍ以下にピーク波長を持つ光を出射する第１光源２１１を有する光源部２１０を備える。
【００５９】
このような構成により、４９０ｎｍ以上５００ｎｍ以下にピーク波長を持つ光を使用者Ｕ１の顔面に照射することができる。よって、鏡ＭＲを使用者Ｕ１の“しみ・そばかす”、“くすみ”、“クマ”といった肌の欠点を際立たせることができる。その結果、使用者Ｕ１は、鏡ＭＲを通して肌の手入れや化粧を効率よく行うことができる。
【００６０】
光源部２１０は、鏡ＭＲを前方から入射した光を反射する鏡ＭＲに取り付けられ、かつ、当該鏡ＭＲの前方に光を出射し、例えば鏡ＭＲの上に取り付けられている。この光源部２１０は、上述の第１光源２１１に加え、さらに、第３光源２１２を備える。
【００６１】
第３光源２１２は、昼光色、昼白色、白色、温白色及び電球色の少なくとも１つの色を持つ光を出射する一般用照明光源であり、例えばＬＥＤ素子及び点灯回路を有する。
【００６２】
このように、光源部２１０が第３光源２１２を備えることにより、鏡ＭＲを一般的な光環境における使用者Ｕ１の肌の見え方を確認することができる。その結果、使用者Ｕ１は、鏡ＭＲを通して、一般的な光環境における自身の肌の見え方を確認しながら、肌の手入れや化粧を効率よく行うことができる。
【００６３】
［効果等］
以上のように、本実施の形態に係る照明装置２００は、鏡ＭＲを使用者Ｕ１の顔面（生体）に照射するための照明装置であって、４９０ｎｍ以上５００ｎｍ以下にピーク波長を持つ光を出射する第１光源２１１（第１光源）を備える。これにより、使用者Ｕ１の“しみ・そばかす”、“くすみ”、“クマ”といった肌の欠点を際立たせることができる。
【００６４】
なお、照明装置２００は、第１光源２１１に代わり、５２０ｎｍ以上５４０ｎｍ以下、又は、５７０ｎｍ以上５８０ｎｍ以下にピーク波長を持つ光を出射する第２光源を備えてもよい。これにより、使用者Ｕ１の“毛穴・小じわ”、“ニキビ・吹出物”といった肌の欠点を際立たせることができる。つまり、本実施の形態に係る照明装置２００は、第１光源２１１及び第２光源のいずれを備えた場合であっても肌の欠点を際立たせることができる。
【００６５】
（実施の形態１の変形例）
また、照明装置は複数の光源部２１０を備えてもよい。以下、実施の形態１の変形例に係る照明装置として、複数の光源部２１０を備える照明装置について説明する。図７は、実施の形態１の変形例に係る照明装置の構成を示す図である。
【００６６】
同図に示す照明装置２００Ａは、図６に示す照明装置２００と比較して、２つの光源部２１０を備える点が異なる。ここで、２つの光源部２１０の一方と、鏡ＭＲと、２つの光源部２１０の他方とは、この順に並んで配置されている。すなわち、鏡ＭＲを複数の光源部２１０の一部と、鏡ＭＲと、複数の光源部２１０の他部とは、この順に並んで配置されている。
【００６７】
このように配置されることにより、鏡ＭＲを使用者Ｕ１の顔面を光源部２１０よりムラになりにくく照射できる。つまり、使用者Ｕ１の顔面における肌の欠点を漏れなく際立たせやすくなる。
【００６８】
（実施の形態２）
本実施の形態に係る照明装置は、実施の形態１とほぼ同じであるが、さらに、光源部が有する各光源の出射光量を独立に制御する制御部を備える点が異なる。以下、本実施の形態に係る照明装置について、実施の形態１に係る照明装置２００と異なる点を中心に説明する。
【００６９】
図８は、本実施の形態に係る照明装置の構成を示す図である。なお、同図には、図６と同様に、照明装置３００以外に、照明装置３００により光が照射される使用者Ｕ１、及び、照明装置３００が取り付けられ、かつ、照明装置３００により光が照射された使用者Ｕ１を映す鏡ＭＲも示されている。
【００７０】
本実施の形態に係る照明装置３００は、実施の形態１に係る照明装置２００と比較して、さらに、制御部３２０を備える。
【００７１】
制御部３２０は、光源部２１０が有する各光源（第１光源２１１及び第３光源２１２）を独立に制御する。具体的には、各光源に対する使用者Ｕ１の指示を受け付け、受け付けた指示に従って各光源の点灯及び消灯を制御する。この制御部３２０による制御は、各光源の点灯回路と接続された制御線３２１を介して各光源に伝達される。例えば、制御部３２０は、各光源（第１光源２１１及び第３光源２１２）の点灯回路への電源の供給の開始及び停止を行う。また、例えば、制御部３２０は、第１光源２１１に対する使用者Ｕ１の指示を受け付ける操作受付部と、第３光源２１２に対する使用者Ｕ１の指示を受け付ける操作受付部とを備える。この操作受付部は、例えばスイッチやタッチパネル等により構成される。
【００７２】
以上のように、本実施の形態に係る照明装置３００は、光源部２１０が有する各光源（第１光源２１１及び第３光源２１２）を独立に制御する制御部３２０を備える。これにより、肌の欠点を際立たせたいときには第１光源２１１を点灯かつ第３光源２１２を消灯し、一般的な光環境下での欠点の目立ち具合を確認したいときには第１光源２１１を消灯かつ第３光源２１２を点灯することができる。よって、使用者Ｕ１は、第１光源２１１を点灯かつ第３光源２１２を消灯した状態で肌の手入れや化粧の仕上がりの確認をし、第１光源２１１を消灯かつ第３光源２１２を点灯した状態で一般的な光環境下での欠点の目立ち具合を確認することができる。
【００７３】
なお、光源部２１０はさらに、“毛穴・小じわ”、“ニキビ・吹出物”を際立たせることができる光を出射する第２光源を備えてもよい。これにより、第１光源２１１、第２光源及び第３光源２１２の点灯及び消灯を独立に制御することで、鏡ＭＲを特定の肌の欠点を際立たせることができ、肌の欠点に応じた手入れや化粧を効率的に行うことができる。
【００７４】
例えば、第１光源２１１のみを点灯することで“しみ・そばかす”、“くすみ”、“クマ”を際立たせ、第２光源のみを点灯することで“毛穴・小じわ”、“ニキビ・吹出物”を際立たせ、第３光源２１２のみを点灯することで一般的な光環境下での欠点の目立ち具合を確認することができる。
【００７５】
また、制御部３２０は、各光源の点灯及び消灯だけでなく、使用者Ｕ１の顔面鉛直面の照度を調整できるとなおよい。この場合、制御部３２０は各光源の照度を調整できる操作システム（例えば調光ボタン）を有し、各光源は調光機能を有してもよい。
【００７６】
（実施の形態３）
本実施の形態に係る照明装置は、実施の形態２とほぼ同じであるが、光源部がさらに第２光源を備える点が異なる。以下、本実施の形態に係る照明装置について、実施の形態２に係る照明装置３００と異なる点を中心に説明する。
【００７７】
図９は、本実施の形態に係る照明装置について説明するための図であり、（ａ）は本実施の形態に係る照明装置の構成を示す図であり、（ｂ）は当該照明装置の光源部の構成を示す拡大図であり、（ｃ）は当該照明装置によって光が照射された使用者の顔面について説明する図である。なお、図９（ａ）には、図６と同様に、照明装置４００以外に、照明装置４００により光が照射される使用者Ｕ１、及び、照明装置４００が取り付けられ、かつ、照明装置４００により光が照射された使用者Ｕ１を映す鏡ＭＲも示されている。
【００７８】
本実施の形態に係る照明装置４００は、光源部４１０と、光源部４１０が有する各光源の出射光量を独立に制御する制御部４２０とを備える。制御部４２０による制御は、各光源の点灯回路と接続された制御線４２１を介して各光源に伝達される。
【００７９】
光源部４１０は、図９（ｂ）に示すように、第１照射部４１１と第２照射部４１２とを含む。ここで、第１照射部４１１は、使用者Ｕ１の顔面の中心部を含む照射範囲を照射するように配置されている。一方、第２照射部４１２は、使用者Ｕ１の顔面の側面部を含む照射範囲を照射するように配置されている。例えば、本実施の形態では光源部４１０が鏡ＭＲの上に取り付けられている。この場合、第１照射部４１１を光源部４１０の中央部、すなわち鏡ＭＲの中央上部に配置し、第２照射部４１２を光源部４１０の周辺部、すなわち鏡ＭＲの水平端部の上部に配置することにより、第１照射部４１１は使用者Ｕ１の顔面の中央部を含む照射範囲を照射し、第２照射部４１２は使用者Ｕ１の顔面の側面部を含む照射範囲を照射する。
【００８０】
第１照射部４１１には、第１光源２１１と第３光源２１２とが配置されている。ここで、第１光源２１１は、上述したように４９０ｎｍ以上５００ｎｍ以下にピーク波長を持つ光を出射する光源である。つまり、“しみ・そばかす”、“くすみ”、“クマ”を際立たせることができる光源である。
【００８１】
これら“しみ・そばかす”、“くすみ”、“クマ”のうち、“しみ・そばかす”は、人体の顔面において凸部に出来やすく、特に、頬骨、額、目の周り、及び、口の周辺に出来やすいことが知られている。つまり、顔面の中心部に出来やすいことが知られている。また、“クマ”は、人体の顔面において目の下に出来やすいことが知られている。つまり、顔面の中心部に出来やすいことが知られている。
【００８２】
よって、第１光源２１１を第１照射部４１１に配置することにより、“しみ・そばかす”、“クマ”を際立たせることができる光を使用者Ｕ１の顔面の中央部を含む照射範囲に対して照射できる。これにより、使用者Ｕ１の肌の“しみ・そばかす”、“クマ”を効果的に際立たせることができる。
【００８３】
第２照射部４１２には、第２光源４１３と第３光源２１２とが配置されている。ここで、第２光源４１３は、上述したように５２０ｎｍ以上５４０ｎｍ以下、又は、５７０ｎｍ以上５８０ｎｍ以下にピーク波長を持つ光を出射する光源である。つまり、“毛穴・小じわ”、“ニキビ・吹出物”を際立たせることができる光源である。これら“毛穴・小じわ”、“ニキビ・吹出物”のうち、“ニキビ・吹出物”は、人体の顔面において図９（ｃ）に示される“Ｔゾーン”及び“Ｕゾーン”と呼ばれる箇所に出来やすいことが知られている。
【００８４】
よって、第２光源４１３を第２照射部４１２に配置することにより、“ニキビ・吹出物”を際立たせることができる光を使用者Ｕ１の顔面の側面部を含む照射範囲に対して照射できる。すなわち、“Ｕゾーン”に対して照射できる。これにより、使用者Ｕ１の肌の“Ｕゾーン”に発生する“ニキビ・吹出物”を効果的に際立たせることができる。
【００８５】
以上のように、本実施の形態に係る照明装置４００は、鏡ＭＲを第１光源２１１が第１照射部４１１に配置され、第２光源４１３が第２照射部４１２に配置されている。すなわち、第１照射部４１１は第１光源２１１を含み、第２照射部４１２は第２光源４１３を含む。これにより、特定の欠点が集中しやすい部位に対して当該特定の欠点を際立たせる光を照射することができる。したがって、使用者Ｕ１は、鏡ＭＲを通して、自身の肌の手入れや化粧を効率的に行うことができる。
【００８６】
（実施の形態３の変形例１）
なお、第２光源４１３は第１照射部に配置されていてもよい。すなわち、第１照射部は、実施の形態３と比較して、さらに第２光源４１３を含んでもよい。以下、実施の形態３の変形例１に係る照明装置として、第２光源４１３が第１照射部に配置された構成を有する照明装置について説明する。図１０Ａは、実施の形態３の変形例１に係る照明装置における光源部の構成を示す図である。
【００８７】
同図に示すように、本変形例における光源部４１０Ａは、図９（ａ）に示した光源部４１０と比較して、第１照射部４１１に代わり、第１照射部４１１Ａを備える。
【００８８】
第１照射部４１１Ａには、第１照射部４１１に配置されていた一部の第３光源２１２に代わり第２光源４１３が配置されている。すなわち、第１照射部４１１Ａには、第１照射部４１１と同様に第１光源２１１及び第３光源２１２が配置され、さらに第２光源４１３が配置されている。
【００８９】
ここで、上述したように、“ニキビ・吹出物”は、人体の顔面において“Ｔゾーン”及び“Ｕゾーン”と呼ばれる箇所に出来やすいことが知られている。
【００９０】
よって、第２光源４１３を第１照射部４１１Ａに配置することにより、“ニキビ・吹出物”を際立たせることができる光を使用者Ｕ１の顔面の中央部を含む照射範囲に対して照射できる。すなわち、“Ｔゾーン”に対して照射できる。これにより、使用者Ｕ１の肌の“Ｔゾーン”に発生する“ニキビ・吹出物”を効果的に際立たせることができる。
【００９１】
また、“毛穴・小じわ”、“ニキビ・吹出物”のうち、“毛穴・小じわ”は、人体の顔面において人体の顔面において凸部に出来やすく、特に、頬骨、額、目の周り、及び、口の周辺に出来やすいことが知られている。つまり、顔面の中心部に出来やすいことが知られている。
【００９２】
よって、第２光源４１３を第１照射部４１１Ａ及び第２照射部４１２に配置することにより、使用者Ｕ１の肌の“毛穴・小じわ”を効果的に際立たせることができる。
【００９３】
以上のように、本変形例における光源部４１０Ａでは、第２光源４１３が第１照射部４１１Ａに配置されている。よって、光源部４１０Ａを用いた照明装置は、実施の形態３と比較して、鏡ＭＲをさらに、使用者Ｕ１の肌の“Ｔゾーン”に発生する“ニキビ・吹出物”を効果的に際立たせることができる。また、“毛穴・小じわ”を効果的に際立たせることができる。
【００９４】
（実施の形態３の変形例２）
また、第１光源２１１は第２照射部に配置されていてもよい。すなわち、第２照射部は、実施の形態３と比較して、さらに第１光源２１１を含んでもよい。以下、実施の形態３の変形例２に係る照明装置として、第１光源２１１が第２照射部に配置された構成を有する照明装置について説明する。図１０Ｂは、実施の形態３の変形例２に係る照明装置における光源部の構成を示す図である。
【００９５】
同図に示すように、本変形例における光源部４１０Ｂは、図１０Ａに示した光源部４１０Ｂと比較して、第２照射部４１２に代わり、第２照射部４１２Ｂを備える。
【００９６】
第２照射部４１２Ｂには、第２照射部４１２に配置されていた第３光源２１２に代わり第１光源２１１が配置され、第２光源４１３が２つ配置されている。つまり、光源部４１０Ｂは、鏡ＭＲを第１光源２１１及び第２光源４１３のそれぞれを複数有し、複数の第１光源２１１の少なくとも１つは第２照射部４１２Ｂに配置されている。
【００９７】
ここで、第１光源２１１は、上述したように４９０ｎｍ以上５００ｎｍ以下にピーク波長を持つ光を出射する光源である。つまり、“しみ・そばかす”、“くすみ”、“クマ”を際立たせることができる光源である。これら“しみ・そばかす”、“くすみ”、“クマ”のうち、“くすみ”は、人体の顔面全体に生じやすいことが知られている。
【００９８】
よって、第１光源２１１を第２照射部４１２Ｂに配置することにより、第２照射部４１２Ｂに配置された第１光源２１１と第１照射部４１１Ａに配置された第１光源２１１とを併せて、使用者Ｕ１の顔面全体に生じる“くすみ”を効果的に際立たせることができる。
【００９９】
以上のように、本変形例における光源部４１０Ｂでは、第１光源２１１が第２照射部４１２Ｂに配置されている。よって、光源部４１０Ｂを用いた照明装置は、実施の形態３の変形例１と比較して、鏡ＭＲをさらに、使用者Ｕ１の顔面全体に生じる“くすみ”を効果的に際立たせることができる。
【０１００】
また、鏡ＭＲを第２照射部４１２Ｂに配置された第２光源４１３の数は、第２照射部４１２Ｂに配置された第１光源２１１の数より多くてもよい。
【０１０１】
（その他）
以上、本発明に係る照明装置について、実施の形態及び変形例に基づいて説明したが、本発明は、これらの実施の形態及び変形例に限定されるものではない。本発明の趣旨を逸脱しない限り、当業者が思いつく各種変形を上記実施の形態及び変形例に施したものや、異なる実施の形態及び変形例における構成要素を任意に組み合わせて構築される形態も、本発明の一つまたは複数の態様の範囲内に含まれる。
【０１０２】
例えば、上記実施の形態及び変形例では、照射対象物として人体の顔面として説明したが、照明装置は生体に照射すればよく、例えば、人体の腕や胴体であってもよい。また、生体は人体に限らず、例えば動物であってもよい。
【０１０３】
また、上記実施の形態及び変形例では、照明装置は鏡に取り付けられていたが、鏡に取り付けられずに用いられてもよい。言い換えると、照明装置の照射対象である照射対象者は、照明装置により照射された自身の肌を、鏡を介して見ることができなくてもよい。このような照明装置は、例えば、美容外科等において患者の肌の欠点を医師が確認するのに用いられる。
【０１０４】
また、上記実施の形態及び変形例では、照明装置は一般用照明の光源である第３光源を備えていたが、第３光源を備えなくてもよい。
【０１０５】
また、上記実施の形態２及び３では、制御部は光源の種類ごとに独立して制御していたが、光源ごとに独立して制御してもよい。
【０１０６】
また、各光源（第１光源、第２光源、第３光源）の形状、光源部の形状に制限はない。例えば、光源部は鏡を囲むようなドーナツ形状であってもよい。また、光源部における各光源の配置、光源部又は各光源と鏡との距離及び配置に制限はない。また、光源部の各光源の数についても制限はない。ただし、第３光源の配置については、使用者が整容行為を行うにあたって適切な光環境とするために、影の出来にくい配置とすることが好ましい。
【０１０７】
また、一つの光源部内に同種の光源が複数個ある場合や、光源部自体が複数個ある場合などには、各光源又は各光源部を独立して制御することにより、使用者を照明するのに必要な方向や照射範囲もしくは光源又は光源部のみで照明することができ、省エネルギー性能にも有効である。
【符号の説明】
【０１０８】
１００、１１０、１２０  光源
１０１、１１１、１２１Ａ、１２１Ｂ  ＬＥＤ素子
１０２、１１２、１２２  点灯回路
１１３  蛍光体
２００、２００Ａ、３００、４００  照明装置
２１０、４１０、４１０Ａ、４１０Ｂ  光源部
２１１  第１光源
２１２  第３光源
３２０、４２０  制御部
３２１、４２１  制御線
４１１、４１１Ａ  第１照射部
４１２、４１２Ｂ  第２照射部
４１３  第２光源
Ａ１  光源装置操作ＰＣ
Ａ２  光源装置
Ｂ  暗室
Ｈ１  操作者
Ｈ２  被験者
Ｍ  モデル
ＭＲ  鏡
Ｕ１  使用者
Ｕ２  鏡像
【図１】
2015026550.tif 000003
【図２】
2015026550.tif 000004
【図３】
2015026550.tif 000005
【図４】
2015026550.tif 000006
【図５】
2015026550.tif 000007
【図６】
2015026550.tif 000008
【図７】
2015026550.tif 000009
【図８】
2015026550.tif 000010
【図９】
2015026550.tif 000011
【図１０Ａ】
2015026550.tif 000012
【図１０Ｂ】
2015026550.tif 000013